(57)【要約】【課題】放送局装置５０からＴＶ受信機３０を介して携帯通信端末１０にコンテンツ情報を提供することによって、視聴者に放送番組を視聴するインセンティブを与えることを可能とするコンテンツ提供システム等を提供する。【解決手段】放送局装置５０は、放送番組情報及びコンテンツ情報を多重化した多重化信号を送信する多重化信号送信部５３、５４を具備し、ＴＶ受信機３０は、多重化信号から放送番組情報及びコンテンツ情報を分離する分離部３２と、放送番組情報を再生する再生部３３と、放送番組情報の再生中にコンテンツ情報を携帯通信端末１０に送信する送信部３５とを具備し、携帯通信端末１０は、放送番組情報の再生中にコンテンツ情報を受信する受信部１１、１３を具備する。【選択図】　　　図１
2004140530.tif 000002
【特許請求の範囲】
【請求項１】
放送局装置とＴＶ受信機と携帯通信端末とを具備するコンテンツ提供システムであって、
前記放送局装置は、
放送番組情報及びコンテンツ情報を多重化した多重化信号を送信する多重化信号送信部を具備し、
前記ＴＶ受信機は、
前記多重化信号を受信する多重化信号受信部と、
受信した前記多重化信号から前記放送番組情報及び前記コンテンツ情報を分離する分離部と、
前記放送番組情報を再生する再生部と、
前記放送番組情報の再生中に、前記コンテンツ情報を前記携帯通信端末に送信する送信部とを具備し、
前記携帯通信端末は、前記放送番組情報の再生中に、前記コンテンツ情報を受信する受信部を具備することを特徴とするコンテンツ提供システム。
【請求項２】
前記放送局装置の多重化信号送信部は、前記コンテンツ情報を分割した複数のコンテンツデータを別々に前記放送番組情報に多重化した多重化信号を送信し、
前記ＴＶ受信機の分離部は、前記多重化信号から前記放送番組情報及び前記複数のコンテンツデータを分離し、
前記ＴＶ受信機の送信部は、前記放送番組情報の再生中に、前記複数のコンテンツデータを前記携帯通信端末に送信し、
前記携帯通信端末の受信部は、前記放送番組情報の再生中に、前記複数のコンテンツデータを受信して、受信した該複数のコンテンツデータから前記コンテンツ情報を生成することを特徴とする請求項１に記載のコンテンツ提供システム。
【請求項３】
前記携帯通信端末は、前記放送番組情報の再生中に、前記ＴＶ受信機に対して情報提供要求を送信する要求送信部を具備し、
前記ＴＶ受信機は、前記情報提供要求を受信する情報提供要求受信部を具備し、
前記ＴＶ受信機の送信部は、前記放送番組情報の再生中に、前記情報提供要求受信部による前記情報提供要求の受信に応じて、前記コンテンツ情報又は前記コンテンツデータを送信することを特徴とする請求項１又は２に記載のコンテンツ提供システム。
【請求項４】
放送局装置において、放送番組情報及びコンテンツ情報を多重化した多重化信号を送信する工程Ａと、
ＴＶ受信機において、前記多重化信号を受信する工程Ｂと、
前記ＴＶ受信機において、受信した前記多重化信号から前記放送番組情報及び前記コンテンツ情報を分離する工程Ｃと、
前記ＴＶ受信機において、前記放送番組情報を再生する工程Ｄと、
前記ＴＶ受信機において、前記放送番組情報の再生中に、前記コンテンツ情報を携帯通信端末に送信する工程Ｅと、
前記携帯通信端末において、前記放送番組情報の再生中に、前記コンテンツ情報を受信する工程Ｆとを有することを特徴とするコンテンツ提供方法。
【請求項５】
前記工程Ａにおいて、前記放送局装置は、前記コンテンツ情報を分割した複数のコンテンツデータを別々に前記放送番組情報に多重化した多重化信号を送信し、
前記工程Ｃにおいて、前記ＴＶ受信機は、前記多重化信号から前記複数のコンテンツデータを分離し、
前記工程Ｅにおいて、前記ＴＶ受信機は、前記放送番組情報の再生中に、前記複数のコンテンツデータを前記携帯通信端末に送信し、
前記工程Ｆにおいて、前記携帯通信端末は、前記放送番組情報の再生中に、前記複数のコンテンツデータを受信して、受信した該複数のコンテンツデータから前記コンテンツ情報を生成することを特徴とする請求項４に記載のコンテンツ提供方法。
【請求項６】
前記携帯通信端末において、前記放送番組情報の再生中に、前記ＴＶ受信機に対して情報提供要求を送信する工程を有し、
前記ＴＶ受信機において、前記情報提供要求を受信する工程を有し、
前記工程Ｅにおいて、前記ＴＶ受信機は、前記放送番組情報の再生中に、前記情報提供要求の受信に応じて、前記コンテンツ情報又は前記コンテンツデータを送信することを特徴とする請求項４又は５に記載のコンテンツ提供方法。
【請求項７】
放送局装置から、放送番組情報及びコンテンツ情報を分割した複数のコンテンツデータが多重化された多重化信号を受信する多重化信号受信部と、
前記多重化信号から前記放送番組情報及び前記コンテンツデータを分離する分離部と、
前記放送番組情報を再生する再生部と、
前記放送番組情報の再生中に、前記コンテンツデータを前記携帯通信端末に送信する送信部とを具備することを特徴とするＴＶ受信機。
【請求項８】
前記携帯通信端末から送信された情報提供要求を受信する情報提供要求受信部を具備し、
前記送信部が、前記放送番組情報の再生中に、前記情報提供要求受信部による前記情報提供要求の受信に応じて、前記コンテンツデータを送信することを特徴とする請求項７に記載のＴＶ受信機。
【請求項９】
放送番組情報の再生中に、ＴＶ受信機から受信した複数のコンテンツデータを受信する受信部と、
前記放送番組情報の再生中に、前記受信した該複数のコンテンツデータから前記コンテンツ情報を生成する生成部とを具備することを特徴とする携帯通信端末。
【請求項１０】
前記放送番組情報の再生中に、前記ＴＶ受信機に対して情報提供要求を送信する要求送信部を具備し、
前記受信部は、前記放送番組情報の再生中に、前記情報提供要求の受信に応じて、前記ＴＶ受信機から送信された前記コンテンツデータを受信することを特徴とする請求項９に記載の携帯通信端末。
【請求項１１】
携帯通信端末を、
放送番組情報の再生中に、ＴＶ受信機から受信した複数のコンテンツデータを受信する受信部と、
前記放送番組情報の再生中に、前記受信した該複数のコンテンツデータから前記コンテンツ情報を生成する生成部として機能させるためのプログラム。
【発明の詳細な説明】
【０００１】
【発明の属する技術分野】
本発明は、放送局装置からＴＶ受信機を介して携帯通信端末にコンテンツ情報を提供するコンテンツ提供システム、コンテンツ提供方法、これらに用いて好適なＴＶ受信機及び携帯通信端末及びプログラムに関する。
【０００２】
【従来の技術】
従来、放送局装置が、ＴＶ受信機に所定のプログラムを送信し、携帯通信端末が、ＴＶ受信機に保存されている所定のプログラムをダウンロードするコンテンツ提供システムが知られている（例えば、特許文献１参照）。
【０００３】
【特許文献１】
特開２００２−６４８０８号公報（第１９２段落乃至第１９６段落）
【０００４】
【発明が解決しようとする課題】
しかしながら、従来のコンテンツ提供システムは、放送局装置が、放送番組開始前に、ＴＶ受信機に所定のプログラムを送信することを前提としているだけであって、視聴者に放送番組を視聴するインセンティブを与えることができないという問題点があった。
【０００５】
そこで、本発明は、以上の点に鑑みてなされたもので、放送局装置からＴＶ受信機を介して携帯通信端末にコンテンツ情報を提供することによって、視聴者に放送番組を視聴するインセンティブを与えることを可能とするコンテンツ提供システム、コンテンツ提供方法、これらに用いて好適なＴＶ受信機及び携帯通信端末及びプログラムを提供することを目的とする。
【０００６】
【課題を解決するための手段】
本発明の第１の特徴は、放送局装置とＴＶ受信機と携帯通信端末とを具備するコンテンツ提供システムであって、前記放送局装置が、放送番組情報及びコンテンツ情報を多重化した多重化信号を送信する多重化信号送信部を具備し、前記ＴＶ受信機が、前記多重化信号を受信する多重化信号受信部と、受信した前記多重化信号から前記放送番組情報及び前記コンテンツ情報を分離する分離部と、前記放送番組情報を再生する再生部と、前記放送番組情報の再生中に前記コンテンツ情報を前記携帯通信端末に送信する送信部とを具備し、前記携帯通信端末が、前記放送番組情報の再生中に前記コンテンツ情報を受信する受信部を具備することを要旨とする。
【０００７】
かかる発明によれば、当該コンテンツ情報の受信を望むユーザが、放送番組情報の再生中に、携帯通信端末を介してＴＶ受信機からコンテンツ情報を受信する必要があるため、かかるユーザに、ＴＶ受信機によって再生されている放送番組を視聴するインセンティブを与えることができる。
【０００８】
本発明の第１の特徴において、前記放送局装置の多重化信号送信部が、前記コンテンツ情報を分割した複数のコンテンツデータを別々に前記放送番組情報に多重化した多重化信号を送信し、前記ＴＶ受信機の分離部が、前記多重化信号から前記放送番組情報及び前記複数のコンテンツデータを分離し、前記ＴＶ受信機の送信部が、前記放送番組情報の再生中に前記複数のコンテンツデータを前記携帯通信端末に送信し、前記携帯通信端末の受信部が、前記放送番組情報の再生中に前記複数のコンテンツデータを受信して、受信した該複数のコンテンツデータから前記コンテンツ情報を生成することが好ましい。
【０００９】
かかる発明によれば、携帯通信端末の受信部が、放送番組情報の再生中に複数のコンテンツデータを受信して、受信した複数のコンテンツデータからコンテンツ情報を生成するため、当該コンテンツ情報の受信を望むユーザは、放送番組情報の再生中に、携帯通信端末を介してＴＶ受信機から複数のコンテンツデータを受信する必要があるため、かかるユーザに、ＴＶ受信機によって再生されている放送番組を視聴するインセンティブを与えることができる。
【００１０】
また、本発明の第１の特徴において、前記携帯通信端末が、前記放送番組情報の再生中に前記ＴＶ受信機に対して情報提供要求を送信する要求送信部を具備し、前記ＴＶ受信機が、前記情報提供要求を受信する情報提供要求受信部を具備し、前記ＴＶ受信機の送信部が、前記放送番組情報の再生中に、前記情報提供要求受信部による前記情報提供要求の受信に応じて、前記コンテンツ情報又は前記コンテンツデータを送信することが好ましい。
【００１１】
かかる発明によれば、ＴＶ受信機の送信部が、放送番組情報の再生中に情報提供要求の受信に応じてコンテンツ情報又はコンテンツデータを送信するため、ＴＶ受信機のコンテンツ情報又はコンテンツデータの送信に係る電力を低減することができる。
【００１２】
本発明の第２の特徴は、放送局装置において、放送番組情報及びコンテンツ情報を多重化した多重化信号を送信する工程Ａと、ＴＶ受信機において、前記多重化信号を受信する工程Ｂと、受信した前記多重化信号から前記放送番組情報及び前記コンテンツ情報を分離する工程Ｃと、前記ＴＶ受信機において、前記放送番組情報を再生する工程Ｄと、前記ＴＶ受信機において、前記放送番組情報の再生中に、前記コンテンツ情報を携帯通信端末に送信する工程Ｅと、前記携帯通信端末において、前記放送番組情報の再生中に、前記コンテンツ情報を受信する工程Ｆとを有することを要旨とする。
【００１３】
本発明の第２の特徴において、前記工程Ａで、前記放送局装置が、前記コンテンツ情報を分割した複数のコンテンツデータを別々に前記放送番組情報に多重化した多重化信号を送信し、前記工程Ｃで、前記ＴＶ受信機が、前記多重化信号から前記複数のコンテンツデータを分離し、前記工程Ｅで、前記ＴＶ受信機が、前記放送番組情報の再生中に前記複数のコンテンツデータを前記携帯通信端末に送信し、前記工程Ｆで、前記携帯通信端末が、前記放送番組情報の再生中に前記複数のコンテンツデータを受信して、受信した該複数のコンテンツデータから前記コンテンツ情報を生成することが好ましい。
【００１４】
また、本発明の第２の特徴において、前記携帯通信端末が、前記放送番組情報の再生中に、前記ＴＶ受信機に対して情報提供要求を送信する工程を有し、前記ＴＶ受信機が、前記情報提供要求を受信する工程を有し、前記工程Ｅで、前記ＴＶ受信機が、前記放送番組情報の再生中に前記情報提供要求の受信に応じて前記コンテンツ情報又は前記コンテンツデータを送信することが好ましい。
【００１５】
本発明の第３の特徴は、放送局装置から、放送番組情報及びコンテンツ情報を分割した複数のコンテンツデータが多重化された多重化信号を受信する多重化信号受信部と、前記多重化信号から前記放送番組情報及び前記コンテンツデータを分離する分離部と、前記放送番組情報を再生する再生部と、前記放送番組情報の再生中に前記コンテンツデータを前記携帯通信端末に送信する送信部とを具備するＴＶ受信機であることを要旨とする。
【００１６】
本発明の第３の特徴において、前記携帯通信端末から送信された情報提供要求を受信する情報提供要求受信部を具備し、前記送信部が、前記放送番組情報の再生中に、前記情報提供要求受信部による前記情報提供要求の受信に応じて、前記コンテンツデータを送信することが好ましい。
【００１７】
本発明の第４の特徴は、放送番組情報の再生中にＴＶ受信機から受信した複数のコンテンツデータを受信する受信部と、前記放送番組情報の再生中に前記受信した該複数のコンテンツデータから前記コンテンツ情報を生成する生成部とを具備する携帯通信端末であることを要旨とする。
【００１８】
本発明の第４の特徴において、前記放送番組情報の再生中に前記ＴＶ受信機に対して情報提供要求を送信する要求送信部を具備し、前記受信部が、前記放送番組情報の再生中に前記情報提供要求の受信に応じて前記ＴＶ受信機から送信された前記コンテンツデータを受信することが好ましい。
【００１９】
本発明の第５の特徴は、携帯通信端末を、放送番組情報の再生中に、ＴＶ受信機から受信した複数のコンテンツデータを受信する受信部と、前記放送番組情報の再生中に、前記受信した該複数のコンテンツデータから前記コンテンツ情報を生成する生成部として機能させるためのプログラムであることを要旨とする。
【００２０】
【発明の実施の形態】
（本発明の実施形態に係るコンテンツ提供システムの構成）
本発明の実施形態に係るコンテンツ提供システムの構成について、図１乃至図４を参照しながら説明する。本実施形態に係るコンテンツ提供システムは、放送局装置５０からＴＶ受信機３０を介して携帯通信端末１０にコンテンツ情報を提供するものである。
【００２１】
ここで、コンテンツ情報は、音声データや画像データや文字データ等の各種データである。例えば、携帯通信端末１０によって再生可能な音声データ（着信メロディ用音声データ）や、携帯通信端末１０の表示画面上に表示可能な画像データ（待ち受け画面用画像データ）や、特定のＵＲＬや電話帳の情報（電話番号や住所や名前やメールアドレス等）を示す文字データ等である。
【００２２】
また、コンテンツ情報は、スケジュール情報であってもよい。ここで、スケジュール情報とは、例えば、自動的に、携帯通信端末１０のスケジューラにコンサートの日程を保存するための情報である。
【００２３】
また、コンテンツ情報は、ポイント情報であってもよい。例えば、ユーザ１は、携帯通信端末１０を用いて、ＴＶ受信機３０が所定のＣＭ番組を再生している場合に取得したポイント情報を、当該所定のＣＭ番組に関連する商品の購入の際に利用することができる。
【００２４】
また、コンテンツ情報は、試供品情報であってもよい。ここで、試供品情報とは、例えば、自動販売機に送信することによって試供品を得ることが可能となる情報である。
【００２５】
また、コンテンツ情報は、二次元バーコード等によって構成されるクーポン情報であってもよい。
【００２６】
また、コンテンツ情報は、カラオケの楽曲情報であってもよい。ここで、カラオケの楽曲情報とは、例えば、新作ＣＤのＣＭ番組において取得可能な情報であって、カラオケ演奏機器に転送することによって再送可能な情報である。
【００２７】
また、コンテンツ情報は、位置情報であってもよい。ここで、位置情報とは、例えば、携帯通信端末１０に、携帯通信端末１０の現在位置から所定の場所への経路を検索させて表示させるための情報である。
【００２８】
また、コンテンツ情報は、録画情報であってもよい。ここで、録画情報とは、例えば、所定の番組のＣＭ番組において取得可能な情報であって、ビデオ機器に転送することによって再送可能な情報である。
【００２９】
本実施形態に係るコンテンツ提供システムは、図１に示すように、携帯通信端末１０と、ＴＶ受信機３０と、放送局装置５０とを具備している。
【００３０】
図２を参照して、本実施形態に係るコンテンツ提供システムを構成する携帯通信端末１０の機能について説明する。携帯通信端末１０は、図２に示すように、無線通信部１１と、コンテンツデータ記憶部１２と、コンテンツ生成部１３と、コンテンツ記億部１４とを具備している。
【００３１】
無線通信部１１は、ＴＶ受信機３０の無線通信部３５との間で無線通信を行うものである。無線通信部１１は、ＴＶ受信機３０の無線通信部３５との間で、Ｂｌｕｅｔｏｏｔｈ（登録商標）やＩｒＤＡ等の近傍無線通信を行うものであってもよいし、無線基地局等を介した移動通信を行うものであってもよい。
【００３２】
具体的には、無線通信部１１は、無線通信を介してＴＶ受信機３０からコンテンツ情報又はコンテンツデータを受信するものである。ここで、コンテンツデータとは、コンテンツ情報が分割されたものである。また、無線通信部１１は、ＴＶ受信機３０による放送番組情報の再生中に、コンテンツ情報又はコンテンツデータを受信するように構成されていてもよい。
【００３３】
また、無線通信部１１は、ユーザ１による操作によって、又は、所定のタイミングで自動的に、ＴＶ受信機３０に対して情報提供要求を送信するものである。ここで、情報提供要求とは、ＴＶ受信機３０に対して、コンテンツ情報又はコンテンツデータの送信を要求するための情報である。また、無線通信部１１は、ＴＶ受信機３０による放送番組情報の再生中に、ＴＶ受信機３０に対して情報提供要求を送信するように構成されていてもよい。
【００３４】
コンテンツデータ記憶部１２は、無線通信部１１によって受信されたコンテンツデータを記憶するものである。図２において、コンテンツデータ記憶部１２は、コンテンツ情報１４Ａを生成するための複数のコンテンツデータ１２ａ１乃至１２ａｎを記憶している。
【００３５】
コンテンツ生成部１３は、コンテンツデータ記憶部１２に記憶されている複数のコンテンツデータを用いて、コンテンツ情報を生成するものである。図２において、コンテンツ生成部１３は、複数のコンテンツデータ１２ａ１乃至１２ａｎを合成することによって、コンテンツ情報１４Ａを生成する。
【００３６】
また、コンテンツ生成部１３は、ユーザ１によって入力された所定のコード（一のコンテンツデータ）に応じて、複数のコンテンツデータ（他のコンテンツデータ）から着信メロディ用音声データを構成するように構成されていてもよい。
【００３７】
コンテンツ記憶部１４は、コンテンツ生成部１３によって生成されたコンテンツ情報を記憶するものである。図２において、コンテンツ記憶部１４は、コンテンツ情報１４Ａを記憶している。また、コンテンツ記憶部１４は、無線通信部１１によって受信されたコンテンツ情報を記憶することもできる。
【００３８】
本実施形態において、無線通信部１１は、前記放送番組情報の再生中に、前記ＴＶ受信機に対して情報提供要求を送信する要求送信部を構成する。また、無線通信部１１及びコンテンツ生成部１３が、ＴＶ受信機３０による放送番組情報の再生中に、ＴＶ受信機３０からコンテンツ情報を受信し、また、複数のコンテンツデータを受信して、受信した該複数のコンテンツデータからコンテンツ情報を生成する受信部を構成する。
【００３９】
図３を参照して、本実施形態に係るコンテンツ提供システムを構成するＴＶ受信機３０の機能について説明する。ＴＶ受信機３０は、図３に示すように、信号受信部３１と、信号分離部３２と、放送情報再生部３３と、コンテンツデータ記憶部３４と、無線通信部３５とを具備している。
【００４０】
信号受信部３１は、放送局装置５０から、放送アンテナ３及び放送中継装置２を介して、放送番組情報及びコンテンツ情報を多重化した多重化信号を受信するものである。また、信号受信部３１は、放送アンテナ３及び放送中継装置２を介して、放送番組情報及び複数のコンテンツデータを多重化した多重化信号を受信するものである。
【００４１】
信号受信部３１は、ＢＳディジタル放送用信号やＣＳディジタル放送用信号や地上波ディジタル放送用信号やケーブルテレビ放送用信号として、上述の多重化信号を受信してもよいし、アナログ放送用信号として、上述の多重化信号を受信してもよい。
【００４２】
信号分離部３２は、信号受信部３１によって受信された多重化信号から、放送番組情報及び複数のコンテンツデータ（又は、コンテンツ情報）を分離するものである。具体的には、信号分離部３２は、放送番組情報が送信される帯域内の空き帯域に含まれる複数のコンテンツデータを分離する。
【００４３】
放送情報再生部３３は、信号分離部３２によって分離された放送番組情報を再生するものである。具体的には、放送情報再生部３３は、上述の放送番組情報に基づいてＴＶ画面３３ａ上で放送番組を再生する。
【００４４】
コンテンツデータ記憶部３４は、信号分離部３２によって分離された複数のコンテンツデータ（又は、コンテンツ情報）を記憶するものである。
【００４５】
無線通信部３５は、携帯通信端末１０との間で無線通信を行うものである。無線通信部３５は、携帯通信端末１０との間で、Ｂｌｕｅｔｏｏｔｈ（登録商標）やＩｒＤＡ等の近傍無線通信を行うものであってもよいし、無線基地局等を介した移動通信を行うものであってもよい。
【００４６】
具体的には、無線通信部３５は、無線通信を介して、携帯通信端末１０に対して、コンテンツデータ記憶部３４に記憶されているコンテンツデータ（又は、コンテンツ情報）を送信するものである。また、無線通信部３５は、ＴＶ受信機３０による放送番組情報の再生中に、コンテンツデータ（又は、コンテンツ情報）を送信するように構成されていてもよい。
【００４７】
また、無線通信部３５は、携帯通信端末１０からの情報提供要求の受信に応じて、又は、所定のタイミングで自動的に、携帯通信端末１０に対してコンテンツデータ（又は、コンテンツ情報）を送信するものである。
【００４８】
本実施形態において、信号分離部３２が、多重化信号から放送番組情報及びコンテンツ情報を分離する分離部を構成する。また、放送情報再生部３３が、放送番組情報を再生する再生部を構成する。また、無線通信部３５が、放送番組情報の再生中に、コンテンツ情報又はコンテンツデータを携帯通信端末に送信する送信部を構成する。
【００４９】
図４を参照して、本実施形態に係るコンテンツ提供システムを構成する放送局装置５０の機能について説明する。放送局装置５０は、図４に示すように、放送情報記憶部５１と、コンテンツ記憶部５２と、信号合成部５３と、信号送信部５４とを具備している。
【００５０】
放送情報記憶部５１は、放送番組情報を記憶するものである。また、コンテンツ記憶部５２は、コンテンツ情報を記憶するものである。
【００５１】
信号合成部５３は、放送情報記憶部５１に記憶されている放送番組情報及びコンテンツ記憶部５２に記憶されているコンテンツ情報を、所定の方法によって多重化した多重化信号を生成するものである。
【００５２】
具体的には、信号合成部５３は、放送番組情報が送信される帯域内の空き帯域にコンテンツ情報を多重化する。また、信号合成部５３は、コンテンツ情報を分割した複数のコンテンツデータを別々に放送番組情報に多重化した多重化信号を生成してもよい。
【００５３】
例えば、信号合成部５３は、１時間の放送番組を再生可能な放送番組情報について、最初２０分間に再生される部分や最後２０分間に再生される部分に、コンテンツ情報を分割した複数のコンテンツデータを多重化してもよい。この結果、当該コンテンツ情報の受信を望むユーザは、放送番組の最初２０分間及び最後２０分間、当該放送番組を視聴しなければならず、放送番組全体を通した視聴率の向上に資することが可能となる。
【００５４】
信号送信部５４は、放送アンテナ３及び放送中継装置２を介して、上述の多重化信号を送信するものである。具体的には、信号送信部５４は、ディジタル放送方式やアナログ放送方式やケーブルテレビ放送方式で、上述の多重化信号を送信する。
【００５５】
本実施形態において、信号合成部５３及び信号送信部５４が、放送番組情報及びコンテンツ情報（又は、コンテンツデータ）を多重化した多重化信号を送信する多重化信号送信部を構成する。
【００５６】
（本実施形態に係るコンテンツ提供システムの動作）
本実施形態に係るコンテンツ提供システムの動作を、図５を参照にして説明する。
【００５７】
図５に示すように、ステップ５０１において、放送局装置５０の信号合成部５３が、放送番組情報及び複数のコンテンツデータを多重化した多重化信号を生成する。
【００５８】
ステップ５０２ａにおいて、放送局装置５０の信号送信部５４が、上述の多重化信号を、放送アンテナ３及び放送中継装置２を介して送信する。
【００５９】
ステップ５０３ａにおいて、ＴＶ受信機３０の信号分離部３２が、上述の多重化信号から放送番組情報及びコンテンツデータを分離して、ＴＶ受信機３０の放送情報再生部３３が、放送番組情報を再生する。
【００６０】
ステップ５０４ａにおいて、ＴＶ受信機３０の無線通信部３５が、所定のタイミングで、又は、携帯通信端末１０からの情報提供要求の受信に応じて、分離されたコンテンツデータを、携帯通信端末１０に送信する。
【００６１】
ステップ５０５ａにおいて、携帯通信端末１０の無線通信部１１が、上述のコンテンツデータを受信して、コンテンツデータ記憶部１２に記憶する。
【００６２】
以下、放送番組が終了するまで、上述の５０２ａ乃至５０５ａと同様のステップが繰り返される。
【００６３】
ステップ５０５Ｎにおいて、携帯通信端末１０の無線通信部１１が、最後のコンテンツデータを受信して、コンテンツデータ記憶部１２に記憶する。
【００６４】
ステップ５０６において、携帯通信端末１０のコンテンツ生成部１３が、当該放送番組に関連する全てのコンテンツデータに基づいて、当該放送番組に関連するコンテンツ情報を生成して、コンテンツ記憶部１４に記憶する。
【００６５】
（本実施形態に係るコンテンツ提供システムの作用・効果）
本実施形態に係るコンテンツ提供システムによれば、放送番組情報に関連するコンテンツ情報（例えば、着信メロディ用音声データや待ち受け画面用画像データ等）の受信を望むユーザ１が、当該放送番組情報の再生中に、携帯通信端末１０を介してＴＶ受信機３０から当該コンテンツ情報を受信する必要があるため、かかるユーザ１に、ＴＶ受信機３０によって再生されている放送番組を視聴するインセンティブを与えることができる。
【００６６】
本実施形態に係るコンテンツ提供システムによれば、携帯通信端末１０の無線通信部１１が、放送番組情報の再生中に複数のコンテンツデータを受信して、携帯通信端末１０のコンテンツ生成部１３が、受信した複数のコンテンツデータからコンテンツ情報を生成するため、当該コンテンツ情報の受信を望むユーザ１は、放送番組情報の再生中に、携帯通信端末１０を介してＴＶ受信機３０から複数のコンテンツデータを受信する必要があり、かかるユーザ１に、ＴＶ受信機３０によって再生されている放送番組を視聴するインセンティブを与えることができる。
【００６７】
本実施形態に係るコンテンツ提供システムによれば、ＴＶ受信機３０の無線通信部３５が、放送番組情報の再生中に情報提供要求の受信に応じてコンテンツ情報又はコンテンツデータを送信するため、ＴＶ受信機のコンテンツ情報又はコンテンツデータの送信に係る電力を低減することができる。
【００６８】
（その他）
なお、コンピュータ１００に、本実施形態に係る携帯通信端末１０の機能を実行させるためのプログラム（以下、携帯通信端末用プログラム）を、コンピュータ読み取り可能な記録媒体に記録することができる。このコンピュータ読み取り可能な記録媒体は、図６に示すように、例えば、フロッピィーディスク１０１、コンパクトディスク１０２、ＩＣチップ１０３、カセットテープ１０４等が挙げられる。このような携帯通信端末用プログラムを記録したコンピュータ読み取り可能な記録媒体によれば、携帯通信端末用プログラムの保存、運搬、販売等を容易に行うことができる。
【００６９】
また、ユーザ１は、携帯通信端末１０を用いて、特定のサーバ装置から通信ネットワークを介して携帯通信端末用プログラムをダウンロードすることができる。
【００７０】
【発明の効果】
以上説明したように本発明によれば、放送局装置５０からＴＶ受信機３０を介して携帯通信端末１０にコンテンツ情報を提供することによって、視聴者に放送番組を視聴するインセンティブを与えることを可能とするコンテンツ提供システム、コンテンツ提供方法、これらに用いて好適なＴＶ受信機及び携帯通信端末を提供することができる。
【図面の簡単な説明】
【図１】本発明の一実施形態に係るコンテンツ提供システムを含む全体構成図である。
【図２】本発明の一実施形態に係るコンテンツ提供システムの携帯通信端末の機能ブロック図である。
【図３】本発明の一実施形態に係るコンテンツ提供システムのＴＶ受信機の機能ブロック図である。
【図４】本発明の一実施形態に係るコンテンツ提供システムの放送局装置の機能ブロック図である。
【図５】本発明の一実施形態に係るコンテンツ提供システムの動作を示すシーケンス図である。
【図６】本発明の一実施形態に係るコンテンツ提供システムに用いて好適なプログラムを記録したコンピュータ読み取り可能な記録媒体を示す外観図である。
【符号の説明】
１…ユーザ
２…放送中継装置
３…放送アンテナ
１０…携帯通信端末
１１、３５…無線通信部
１２、３４…コンテンツデータ記憶部
１３…コンテンツ生成部
１４、５２…コンテンツ記億部
３０…ＴＶ受信機
３１…信号受信部
３２…信号分離部
３３…放送情報再生部
５０…放送局装置
５１…放送情報記憶部
５３…信号合成部
５４…信号送信部
【図１】
2004140530.tif 000003
【図２】
2004140530.tif 000004
【図３】
2004140530.tif 000005
【図４】
2004140530.tif 000006
【図５】
2004140530.tif 000007
【図６】
2004140530.tif 000008